【手続補正書】
【提出日】平成17年9月7日(2005.9.7)
【手続補正１】
【補正対象書類名】明細書
【補正対象項目名】特許請求の範囲
【補正方法】変更
【補正の内容】
【特許請求の範囲】
【請求項１】  一又は複数の電子機器からなるグループに割り当てられたグループキーに基づき暗号化された記録情報を記録媒体に記録する情報記録装置であって、
前記記録情報についての著作権情報を検出する検出手段と、
他のグループの電子機器であっても取り扱うことの可能なグループ間共通フォーマットに前記記録情報を変換する変換手段と、
前記著作権情報に基づき、前記グループ間共通フォーマットに変換された記録情報を前記記録媒体に記録する記録手段とを備えたことを特徴とする情報記録装置。
【請求項２】  前記記録手段は、前記著作権情報が前記記録情報を他のグループの情報記録装置に装着された記録媒体に移動しても良いことを示しているとき、前記グループ間共通フォーマットに変換された記録情報を前記記録媒体に記録し、前記著作権情報が前記記録情報を他のグループの情報記録装置に装着された記録媒体に移動することを禁止することを示しているとき、前記グループに割り当てられたグループキーに基づき暗号化された記録情報を前記記録媒体に記録することを特徴とする請求項１に記載の情報記録装置。
【請求項３】  前記記録手段は、前記記録情報と共に前記著作権情報を記録することを特徴とする請求項１または２に記載の情報記録装置。
【請求項４】  前記暗号化された記録情報を前記グループキーに基づき復号化する復号化手段を更に備え、前記検出手段は、前記復号化された記録情報を入力し、
前記記録情報についての著作権情報を検出することを特徴とする請求項１から３のいずれか一項に記載の情報記録装置。
【請求項５】  前記変換手段は、前記復号化された記録情報を前記グループ間共通フォーマットに従うフォーマットに変換するフォーマッタと、該フォーマットされた記録情報を前記グループ間共通フォーマットに従うキーに基づき暗号化するスクランブル回路と、を含むことを特徴とする請求項４に記載の情報記録装置。
【請求項６】  前記スクランブル回路は、前記フォーマットされた記録情報を、前記グループ間共通フォーマットに従うキーに基づき暗号化する第１の状態と、前記グループキーに基づき暗号化する第２の状態とを取り得ることを特徴とする請求項５に記載の情報記録装置。
【請求項７】  前記復号化された記録情報を前記グループに割り当てられたグループキーに基づき暗号化する暗号化部と、
前記暗号化部により暗号化された記録情報と前記変換手段により変換された記録情報の一方を選択するスイッチと、
を更に備えることを特徴とする請求項４に記載の情報記録装置。
【請求項８】  前記著作権情報は前記グループキーに基づき暗号化されることなく前記記録情報に付随しており、
前記検出手段は、前記記録情報に付随した著作権情報を検出することを特徴とする請求項１から３のいずれか一項に記載の情報記録装置。
【請求項９】  前記暗号化された記録情報を前記グループキーに基づき復号化し、該復号化した記録情報を前記変換手段に出力する復号化手段と、
前記暗号化された記録情報と前記変換手段により前記グループ間共通フォーマットに変換された記録情報の一方を選択するスイッチと、を更に備えることを特徴とする請求項８に記載の情報記録装置。
【請求項１０】  前記暗号化された記録情報を前記グループキーに基づき復号化する復号化手段と、
前記暗号化された記録情報と前記復号化手段により復号化された記録情報との一方を選択するスイッチと、を更に備えることを特徴とする請求項８に記載の情報記録装置。
【請求項１１】  前記記録情報は前記グループに割り当てられた第１のグループキーに基づき暗号化されており、
前記復号化手段は前記第１のグループキーに基づき暗号化された記録情報を前記第１のグループキーに基づき復号化し、
前記スクランブル回路は前記第２の状態において、前記グループに割り当てられた第２のグループキーに基づき前記復号化された記録情報を暗号化することを特徴とする請求項６に記載の情報記録装置。
【請求項１２】  前記記録情報は前記グループに割り当てられた第１のグループキーに基づき暗号化されており、
前記復号化手段は前記第１のグループキーに基づき暗号化された記録情報を前記第１のグループキーに基づき復号化し、
前記暗号化部は前記グループに割り当てられた第２のグループキーに基づき前記復号化された記録情報を暗号化することを特徴とする請求項７に記載の情報記録装置。
【請求項１３】  前記フォーマットされた記録情報を前記グループキーに基づき暗号化する暗号化部と、
前記スクランブル回路により前記グループ間共通フォーマットに従うキーに基づき暗号化された記録情報と前記暗号化部により前記グループキーに基づき暗号化された記録情報の一方を選択するスイッチと、
を更に備えることを特徴とする請求項５に記載の情報記録装置。
【請求項１４】  前記フォーマットされた記録情報を前記グループキーに基づき暗号化する暗号化部と、
前記暗号化部により前記グループキーに基づき暗号化された記録情報と前記フォーマットされた記録情報の一方を選択し、前記スクランブル回路に出力するスイッチと、
を更に備えることを特徴とする請求項５に記載の情報記録装置。
【請求項１５】  一又は複数の電子機器からなるグループに割り当てられたグループキーに基づき暗号化された記録情報を記録媒体に記録する情報記録方法であって、
前記記録情報についての著作権情報を検出する検出工程と、
他のグループの電子機器であっても取り扱うことの可能なグループ間共通フォーマットに前記記録情報を変換する変換工程と、
前記検出された著作権情報が示す前記条件に基づき、前記グループ間共通フォーマットに変換された記録情報を前記記録媒体に記録する記録工程とを備えたことを特徴とする情報記録方法。
【請求項１６】  請求項３に記載の情報記録装置により、前記著作権情報と前記グループ間共通フォーマットに変換された記録情報が記録された記録媒体。
【請求項１７】  コンピュータを、請求項１から請求項１４のいずれか一項に記載の情報記録装置として機能させることを特徴とするコンピュータプログラム。
【手続補正２】
【補正対象書類名】明細書
【補正対象項目名】００７２
【補正方法】変更
【補正の内容】
【００７２】
図６はＤＶＤレコーダの一例の回路ブロック図であって、このＤＶＤレコーダは、アナログ情報を取り込むＡ／Ｄコンバータ６１、デジタル化されたアナログ情報をＭＰＥＧ符号化するＭＰＥＧ符号化部６２、デジタル情報を取り込むインターフェース部６３、デジタル情報を復号化する復号化部６４、情報を選択するスイッチＳＷ６５、アナログ情報及びデジタル情報からコピー制御情報を検出するコピー制御情報検出部６６、ＣＣＩ（Copy  Control  Information：コピー制御情報）を変更するＣＣＩ更新部６７、ＤＶＤ用信号に変換するＤＶＤフォーマッタ６８、ＤＶＤ用信号に変換されたデータをスクランブルするスクランブル回路６９、記録用の信号にする信号処理回路７０、記録用として半導体レーザを駆動するＬＤドライバ７１、変調されたレーザ光で記録するピックアップ７２、ＤＶＤディスク７３、ＤＶＤディスク７３の回転駆動部７４、ピックアップ７２及び回転駆動部７４を制御するサーボ制御部７５、共通のフォーマットで暗号化するかグループキーに基づいて暗号化をするか選択するスイッチＳＷ７６、装置全体を制御するＣＰＵ７７、装置の操作のためのキー７８、各種情報を表示する表示装置７９、グループキーに関する情報等を受信する通信部８０、ピックアップ７２のピックアップ信号を増幅処理するＲＦアンプ８１、ＲＦアンプ８１からの出力信号を処理する信号処理回路８２、信号処理回路８２で処理された信号をデスクランブルするデスクランブル回路８３、デスクランブルされたＤＶＤ用信号をアンフォーマットするＤＶＤアンフォーマッタ８４、アンフォーマットされたＤＶＤ用信号をグループキーに基づいて暗号化する暗号化部８５、また、アンフォーマットされたＤＶＤ信号をＭＰＥＧの復号化をするＭＰＥＧ復号化部８６、ＭＰＥＧ復号化されたデジタルデータをアナログデータに変換するＤ／Ａコンバータ８７を備えて構成されている。Ｄ／Ａコンバータ８７からＤＶＤの再生信号が出力され、モニター等に表示される。
【手続補正３】
【補正対象書類名】明細書
【補正対象項目名】００８９
【補正方法】変更
【補正の内容】
【００８９】
次に再生について説明すると、ピックアップ７２で再生されたＲＦ信号は、ＲＦアンプ８１及び信号処理回路８２を介して、グループ間共通のフォーマットで暗号化されている場合はデスクランブル回路８３に、固有のグループキーで暗号化されている場合は復号化部９３に入力され、暗号が解除される。デスクランブル回路８３で解除された信号は更にＤＶＤアンフォーマッタ８４でＭＰＥＧ信号に戻され、スイッチＳＷ９４で選択される。また、復号化部９３で復号された信号は、記録時にはＤＶＤフォーマッタ６８でＤＶＤ信号に変換していないので、そのままスイッチＳＷ９４に入力され選択される。
【手続補正４】
【補正対象書類名】明細書
【補正対象項目名】０１２４
【補正方法】変更
【補正の内容】
【０１２４】
図１５は図７の第１の変形例を示す。図７によれば、コピー制御情報検出部６６はＳＷ６５の出力を入力し、デジタル情報のコピー制御情報を検出していた。しかしながら、コピー制御情報がグループキーによる暗号化されることなく記録情報に付随させているのであれば、コピー制御情報検出部６６はインターフェース部６３の出力を入力し、デジタル情報のコピー制御情報を検出することができる。
【手続補正５】
【補正対象書類名】明細書
【補正対象項目名】０１２５
【補正方法】変更
【補正の内容】
【０１２５】
図１６は図７の第２の変形例を示しており、復号化部６４と暗号化部８５を夫々ＤＶＤフォーマッタ６８の入力側とＤＶＤアンフォーマッタ８４の出力側に移動し、また暗号化部９１と復号化部９３をＭＰＥＧ符号化部６２の出力側とＭＰＥＧ符号化部８６の入力側に移動することができる。なお、コピー制御情報がグループキーにより暗号化されている場合、かかるコピー制御情報の部分のみをグループキーにより復号化して検出し、それを更新し、更新したコピー制御情報部分をグループキーにより暗号化しても良い。